(57)【特許請求の範囲】
【請求項１】
作業工具本体と、
前記作業工具本体に取外し自在に取付けられる集塵装置と、
前記作業工具本体と前記集塵装置とを手動解除自在に係合させる機械式係合部と、
前記機械式係合部による前記作業工具本体と前記集塵装置との係合状態において、前記作業工具本体と前記集塵装置との間で当該作業工具本体と当該集塵装置とを弾性支持するスペーサ部材と、
前記機械式係合部による前記作業工具本体と前記集塵装置との係合状態において、前記係合状態をロック及びロック解除可能なロック部と、を有し、
前記ロック部は、前記集塵装置に設けられたロック爪およびロック解除部材と、前記作業工具本体に設けられるとともに前記ロック爪と係合可能なロック孔とにより構成されることを特徴とする作業工具。
【請求項２】
請求項１に記載の作業工具であって、
前記作業工具本体と前記集塵装置は、互いに対向する第１の対向面と、互いに対向する第２の対向面とを有し、前記第１の対向面に前記機械式係合部が配置され、前記第２の対向面に前記スペーサ部材が配置されていることを特徴とする作業工具。
【請求項３】
請求項２に記載の作業工具であって、
前記第１の対向面と第２の対向面は、互いに離間した位置に設定されていることを特徴とする作業工具。
【請求項４】
請求項１〜３のいずれかに記載の作業工具であって、
前記スペーサ部材は、弾性支持された楔状部材によって構成されていることを特徴とする作業工具。
【請求項５】
請求項２又は３に記載の作業工具であって、
前記第１の対向面と前記第２の対向面とは、第３の対向面を介して連結されていることを特徴とする作業工具。
【請求項６】
請求項１〜５のいずれかに記載の作業工具であって、
前記機械式係合部は、直線状に延在するガイド溝と、当該ガイド溝に対して延在方向に相対移動することにより嵌合されるガイドレールとを有し、前記ガイド溝に対する前記ガイドレールの嵌合方向と前記楔状部材の弾性支持方向が一致していることを特徴とする作業工具。
【請求項７】
請求項６に記載の作業工具であって、
前記ロック部は、前記第１の対向面に配置され、
前記ロック爪は、前記ガイド溝に対する前記ガイドレールの前記嵌合方向と交差する方向に移動自在に取付けられることを特徴とする作業工具。
【請求項８】
作業工具本体の先端領域に装着された先端工具を長軸方向の直線動作及び長軸方向周りに回転動作させることで被加工材に所定の加工作業を遂行するハンマドリルであって、
前記作業工具本体は、請求項１〜７のいずれかに記載の集塵装置の取付けを可能とする集塵装置取付領域を備えていることを特徴とするハンマドリル。
【発明の詳細な説明】
【技術分野】
【０００１】
本発明は、加工作業を遂行する際に生じた粉塵を集塵するための集塵装置を有する作業工具に関する。
【背景技術】
【０００２】
欧州特許明細書第１４５９８４２号（特許文献１）は、ハンマ作業あるいはハンマドリル作業等の加工作業を行なう作業工具の工具本体に取外し自在に取付けられる集塵装置の取付構造を開示している。欧州特許明細書に記載の集塵装置の取付構造は、互いに係合可能な凹部と突部からなる複数の機械式係合部を所定の距離を置いて互いに離間する複数箇所に備えており、複数の機械式係合部の凹部と突部をそれぞれ係合させることによって集塵装置を作業工具本体に取付ける構成であり、そして複数の機械式係合部の係合状態において、機械式係合部とは別に設けられたロック機構によって集塵装置を作業工具本体にロック（固定）する構成としている。
【０００３】
欧州特許明細書第１４５９８４２号に記載の集塵装置の取付構造によれば、集塵装置の作業工具本体に対する取付けを可能とするものの、構造の簡素化及び合理化を図る上で、なお改良の余地がある。
【先行技術文献】
【特許文献】
【０００４】
【特許文献１】欧州特許明細書第１４５９８４２号
【発明の概要】
【発明が解決しようとする課題】
【０００５】
本発明は、上記に鑑みてなされたものであり、作業工具本体に対する集塵装置の取付構造の簡素化及び合理化に有効な作業工具を提供することを目的とする。
【課題を解決するための手段】
【０００６】
上記課題を達成するため、本発明に係る作業工具の好ましい形態によれば、作業工具本体と、作業工具本体に取外し自在に取付けられる集塵装置と、作業工具本体と集塵装置とを手動解除自在に係合させる機械式係合部と、機械式係合部の係合状態において、作業工具本体と集塵装置との間で当該作業工具本体と集塵装置とを弾性支持するスペーサ部材とを有する。なお、本発明における「係合」とは、典型的には、機械式係合部が互いに係合（嵌め合い）可能な凹状部と突状部とを有し、当該凹状部と突状部が互いに嵌り合うことで作業工具本体と集塵装置とを連結する態様がこれに該当する。また、本発明におけるスペーサ部材による「弾性支持」とは、弾性部材によって弾発状に付勢されたスペーサ部材を、作業工具本体と集塵装置との間に押圧状に介在させ、これによって機械式係合部の凹状部と突状部間の隙間を調整する態様がこれに該当する。この場合、スペーサ部材は、集塵装置側に設けることが好ましい。
【０００７】
本発明によれば、作業工具本体と集塵装置とを機械式係合部を介して係合させた状態において、当該作業工具本体と集塵装置とをスペーサ部材によって弾性支持する構成としたので、機械式係合部に隙間が存在した場合に生ずる、作業工具本体に対する集塵装置のガタツキをスペーサ部材によって抑えることができる。これにより集塵装置を作業工具本体に安定状態で取付けることができる。また、作業工具本体と集塵装置との間で当該作業工具本体と集塵装置をスペーサ部材により弾性支持する構成のため、例えば凹状部と突状部からなる複数の機械式係合部を用いて作業工具本体に集塵装置を取付ける構成に比べ、構造的に簡素化された取付構造が構築可能となる。
【０００８】
また、上述の本発明に係る作業工具の好ましい形態によれば、機械式係合部による作業工具本体と集塵装置との係合状態ロック及びロック解除可能なロック部を有する。ロック部は、集塵装置に設けられたロック爪およびロック解除部材と、作業工具本体に設けられるとともにロック爪と係合可能なロック孔とにより構成される
この形態によれば、集塵装置の作業工具本体に対する不測の位置ずれ、あるいは脱落を防止できる。
【０００９】
本発明の更なる形態によれば、作業工具本体と集塵装置は、互いに対向する第１の対向面と、互いに対向する第２の対向面とを有し、第１の対向面に機械式係合部が配置され、第２の対向面にスペーサ部材が配置されている。なお、第１の対向面と第２の対向面は、互いに平行な関係（位置関係）あるいは互いに交差する関係のいずれの関係にあっても構わない。
この形態によれば、機械式係合部を支点として作業工具本体と集塵装置とが相対回動する場合に、当該相対回動をスペーサ部材によって弾性支持することができる。
【００１０】
本発明の更なる形態によれば、第１の対向面と第２の対向面は、互いに離間した位置に設定されている。
この形態によれば、機械式係合部を支点として作業工具本体と集塵装置が相対回動する場合に、当該相対回動を機械式係合部から離れた位置で弾性支持することができる。
【００１１】
本発明の更なる形態によれば、スペーサ部材は、弾性支持された楔状部材によって構成されている。
この形態によれば、弾性支持された楔状部材によって作業工具本体と集塵装置間の隙間に弾発状に介在されることで隙間の大小に拘わらず、当該隙間を合理的に埋める（詰める）ことができる。
【００１２】
本発明の更なる形態によれば、第１の対向面と第２の対向面との間は、第３の対向面を介して連結されている。
この形態によれば、第１の対向面と第２の対向面との間に第３の対向面が介在することで、第１の対向面と第２の対向面を離間した位置関係となるように設定し易い。
【００１３】
本発明の更なる形態によれば、機械式係合部は、直線状に延在するガイド溝と、当該ガイド溝に対して延在方向に相対移動することにより嵌合されるガイドレールとを有し、ガイド溝に対するガイドレールの嵌合方向と楔の弾性支持方向が一致している。
この形態によれば、作業工具本体に集塵装置を取付けるべく、ガイド溝とガイドレールとを互いに嵌合するように相対移動させた際、作業工具本体と集塵装置間に楔状部材が介在されるよう構成することが可能となる。このため、集塵装置をワンタッチで作業工具本体に取付けることが可能となり、取付操作の簡便化を図る上で有効となる。
【００１４】
本発明の更なる形態によれば、ロック部は、第１の対向面に配置される。また、ロック爪は、ガイド溝に対するガイドレールの嵌合方向と交差する方向に移動自在に取付けられる。
【００１５】
本発明の更なる形態によれば、作業工具本体の先端領域に装着された先端工具を長軸方向の直線動作及び長軸方向周りに回転動作させることで被加工材に所定の加工作業を遂行するハンマドリルが構成される。そして、作業工具本体は、請求項１〜７のいずれかに記載の集塵装置の取付けを可能とする集塵装置取付領域を備えている。
【発明の効果】
【００１６】
本発明によれば、作業工具本体に対する集塵装置の取付構造の簡素化及び合理化に有効な作業工具が提供されることとなった。
【図面の簡単な説明】
【００１７】
【図１】本発明の実施形態に係る集塵アタッチメントが取付けられたハンマドリルの全体構成を示す側断面図である。
【図２】集塵アタッチメントが取り外されたハンマドリルを示す断面図である。
【図３】集塵アタッチメントの全体構成を示す断面図である。
【図４】集塵アタッチメントの係合機構部及びロック機構を示す縦断面図であり、ロック機構のロック状態を示す。
【図５】集塵アタッチメントの係合機構部及びロック機構を示す縦断面図であり、ロック機構のロック解除状態を示す。
【図６】集塵アタッチメントの係合機構部及びロック解除レバーを示す縦断面図であり、ロック解除レバーの非操作状態を示す。
【図７】集塵アタッチメントの係合機構部及びロック解除レバーを示す縦断面図であり、ロック解除レバーの解除操作時を示す。
【発明を実施するための最良の形態】
【００１８】
以下、本発明の実施形態につき、図１〜図７を参照しつつ詳細に説明する。本実施の形態では、作業工具の一例として充電式のハンマドリルを用いて説明する。図１及び図２に示すように、本実施形態のハンマドリル１０１は、概括的に見て、ハンマドリル１０１の外郭を形成する本体部１０３と、当該本体部１０３の先端領域（図示左側）にツールホルダ１１８を介して着脱自在に取付けられた先端工具としてのハンマビット１１９と、本体部１０３のハンマビット１１９の反対側に連接されたハンドグリップ１０９とを主体として構成されている。本体部１０３は、本発明における「作業工具本体」に対応する。
【００１９】
ハンドグリップ１０９は、使用者が握るメインハンドルとして備えられている。ハンマビット１１９は、ツールホルダ１１８によってその長軸方向への相対的な往復動が可能に、かつその周方向への相対的な回動が規制された状態で保持される。なお説明の便宜上、本体部１０３がハンマビット１１９の長軸方向を水平方向とする向きに置かれた状態において、ハンマビット１１９側を前、ハンドグリップ１０９側を後という。
【００２０】
本体部１０３は、駆動モータ１１１を収容したモータハウジング１０５と、駆動機構としての運動変換機構１１３、打撃要素１１５及び動力伝達機構１１７を収容したギアハウジング１０７とを主体として構成されている。モータハウジング１０５は、ギアハウジング１０７の後部側下方に配置されるとともに、当該ギアハウジング１０７に接合されている。ハンドグリップ１０９は、ハンマビット１１９の長軸方向と交差する上下方向に延在するとともに、その上端部と下端部が本体部１０３に対してそれぞれ連接され、これによりループ状ハンドル（Ｄ形ハンドル）を構成している。ハンドグリップ１０９の下端部には、バッテリ装着部１０９Ａが形成され、当該バッテリ装着部１０９Ａには、駆動モータ１１１の電源となる充電式のバッテリパック１１０が着脱自在に装着されている。
【００２１】
駆動モータ１１１の回転動力は、揺動リングが揺動するスワッシュ機構（揺動機構）を主体として構成される運動変換機構１１３によって直線運動に適宜変換された上で打撃要素１１５に伝達され、当該打撃要素１１５を介してハンマビット１１９に対し長軸方向（図１における左右方向）への打撃力を加える。また、駆動モータ１１１の回転動力は、複数のギアを主体として構成される動力伝達機構１１７によって適宜減速された上で最終軸としてのツールホルダ１１８を介してハンマビット１１９に伝達され、これにより当該ハンマビット１１９が周方向に回転動作される。駆動モータ１１１は、ハンマビット１１９の長軸方向の下方側において、回転軸線の延長線がハンマビット１１９の長軸線（長軸方向）を横切るように交差状に配置され、ハンドグリップ１０９に配置されたトリガ１０９ａを作業者が引き操作することによって通電駆動される。なお、運動変換機構１１３、打撃要素１１５及び動力伝達機構１１７によるハンマビット１１９の駆動については、周知の技術であり、かつまた本発明には直接的には関係しないため、その説明を省略する。
【００２２】
また、ハンマドリル１０１は、作業者の操作により、ハンマビット１１９に対し長軸方向周り（周方向）の回転力のみを加えて被加工材に穴開け作業を行うドリルモードと、長軸方向への打撃力と周方向への回転力とを加えて被加工材に穴開け作業を行うハンマドリルモードとの間で切替可能とされるが、このことについては周知の技術であり、かつまた本発明には直接的には関係しないため、その説明を省略する。
【００２３】
次に上記のように構成されたハンマドリル１０１に装着され、被加工材（例えば、コンクリート）に対する加工作業時に生じた粉塵を吸塵するための集塵アタッチメント１２０につき、主に図３を参照して説明する。集塵アタッチメント１２０は、本発明における「集塵装置」に対応する。
【００２４】
本実施の形態に係る集塵アタッチメント１５０は、集塵用動力源としての集塵モータ１２３及び吸引ファン１２５がそれぞれアタッチメント本体１２１に内蔵された吸引源内蔵方式であり、ハンマドリル１０１の本体部１０３の前方から後方に向かってハンマビット１１９の長軸方向へと水平状に移動させることによって、アタッチメント本体１２１が当該本体部１０３の前面下部領域のアタッチメント装着部に対して重なるように取り外し可能に取付けられる構成とされる。集塵アタッチメント１２０の取付構造については後述する。
【００２５】
集塵アタッチメント１２０は、図２に示すように、アタッチメント本体１２１、粉塵吸引部１３１、粉塵移送部１３７、集塵容器１２７、吸引ファン１２５及び集塵モータ１２３を主体として構成されている。集塵モータ１２３によって吸引ファン１２５が回転駆動されると、集塵容器１２７、粉塵移送部１３７の内部を通して粉塵吸引部１３１に吸引力が作用する。加工作業時に生じた粉塵は、粉塵吸引部１３１の吸引力で粉塵吸引部１３１の吸塵口１３３ａから吸引されるとともに、粉塵移送部１３７を経て集塵容器１２７に集塵される。
【００２６】
アタッチメント本体１２１は、粉塵移送部１３７の後端部から下方へと直線状に延在する垂直領域と、当該垂直領域の下端部から後方へと延在する水平領域とを有する側面視で略Ｌ形に形成されている。垂直領域は、集塵容器１２７が装着される容器取付部１２１Ａとして備えられ、水平領域は、集塵モータ１２３を収容する集塵モータ収容部１２１Ｂとして備えられる。
【００２７】
集塵モータ１２３は、回転軸方向がハンマビット１１９の長軸方向（粉塵移送部の長軸方向）と平行に集塵モータ収容部１２１Ｂ内に配置されており、その前方に配置された吸引ファン１２５を回転駆動することで集塵容器１２７内に吸引力を発生させる。この吸引力は、集塵容器１２７から粉塵移送部１３７を経て粉塵吸引部１３１に作用する。
【００２８】
集塵容器１２７は、略方形の箱形に形成され、アタッチメント本体１２１における容器取付部１２１Ａの垂直前面部に前方から当接された状態で装着されるとともに、粉塵移送部１３７の後側下方領域に配置される。集塵容器１２７は、容器取付部１２１Ａに対し取外し可能に取付けられ、当該集塵容器１２７内には、粉塵フィルター１２９が収容されている。集塵容器１２７は、粉塵移送部１３７の内部通路を移送された粉塵を内部に吸込むべく上部側に形成された粉塵吸引用の開口１２６と、粉塵フィルター１２９を通って濾過された空気を排出するべく下部側に形成された空気排出口１２８を有する。空気排出口１２８は、吸引ファン１２５と対向状に設定されている。
【００２９】
粉塵吸引部１３１は、前方が粉塵の吸塵口１３３ａとして開口された略箱形の吸引筒部１３３と、当該吸引筒部１３３からハンマビット１１９の長軸方向と交差する下方に延在するとともに、その延在端部が粉塵移送部１３７に連接される中空の吸引本体部１３５とを有する。吸引筒部１３３は、集塵アタッチメント１２０がハンマドリル１０１の本体部１０３に取付けられた状態において、後方に形成された後端壁部１３３ｂを貫通して前方の吸塵口１３３ａへと延在するハンマビット１１９のビット先端部分１１９ａ（図１参照）の周りを所定の間隔を置いて覆う（囲む）粉塵吸引部材として備えられ、加工作業時に被加工材に押し付けられる。吸引筒部１３３内に吸引された粉塵は、吸引本体部１３５の内部を経て粉塵移送部１３７へと移送される。
【００３０】
吸引本体部１３５と連接された粉塵移送部１３７は、ハンマビット１１９の長軸方向と交差する方向においてハンマビット１１９から離間した位置で当該ハンマビット１１９の長軸方向に並行して延在されている。吸引筒部１３３がハンマビット１１９と共に被加工材に押し当てられた状態でハンマビット１１９による被加工材に対する加工作業が行なわれる際、作業の進行（ハンマビット１１９の被加工材内部への進入）に伴い、吸引筒部１３３が被加工材に押し当てられている粉塵吸引部１３１は、ハンマビット１１９に対して相対的に本体部１０３側へ後退することが必要とされる。
【００３１】
粉塵吸引部１３１の後退動作を可能とするべく、粉塵移送部１３７はハンマビット１１９と並行に延在する伸縮自在な粉塵移送筒部材として構成される。伸縮式の粉塵移送部１３７は、長軸方向に相対摺動可能に嵌合する可動筒部１３７Ａと固定筒部１３７Ｂによって構成され、可動筒部１３７Ａの前端が吸引本体部１３５に接続されている。固定筒部１３７Ｂはアタッチメント本体１２１の一部を構成している。このため、粉塵吸引部１３１は、アタッチメント本体１２１に対し粉塵移送部１３７を介してハンマビット１１９の長軸方向に移動可能に連接された構成とされる。
【００３２】
可動筒部１３７Ａと固定筒部１３７Ｂの内側には伸縮自在な蛇腹状のホース１３９が配置されており、このホース１３９の内部を粉塵が移送される。ホース１３９は、その前端側が吸引本体部１３５の後端に接続され、後端側が固定筒部１３７Ｂの後端側に接続されるとともに、集塵容器１２７の粉塵吸引用開口１２６と連通されている。なお、粉塵移送部１３７は、常時にはホース１３９の蛇腹形状領域の弾性力によって伸長状態（初期状態）に保持されている。このように、可動筒部１３７Ａと固定筒部１３７Ｂの内部にホース１３９を配置し、当該ホース内を粉塵が移送する構成とすることで、可動筒部１３７Ａと固定筒部１３７Ｂとの摺動面に粉塵が噛み込むことを防止することができる。
【００３３】
次に上記のように構成された集塵アタッチメント１２０のハンマドリル１０１の本体部１０３に対する取付構造につき、主に図３〜図７を参照しつつ説明する。集塵アタッチメント１２０は、ハンマドリル１０１の本体部１０３の前方から後方に向かってハンマビット１１９の長軸方向へと水平状に移動させることによって、ハンマドリル１０１の本体部１０３の前側下部領域に重なるようにして吊下げ状に取付けられる。
【００３４】
ハンマドリル１０１の本体部１０３には、図２に示すように、モータハウジング１０５の下面１０５ａと、モータハウジング１０５の前面１０５ｂと、ギアハウジング１０７の前側下面１０７ａとによって集塵装置取付部としての側面視で略Ｚ字形のアタッチメント取付座が形成されている。これに対応してアタッチメント本体１２１には、水平領域を構成する集塵モータ収容部１２１Ｂの上面１２１ｂと、垂直領域を構成する容器取付部１２１Ａの後面１２１ａと、アタッチメント本体１２１の一部を構成する粉塵移送部１３７の固定筒部１３７Ｂの上面１３７ｂとによって側面視で略Ｚ字形の取付面が形成されている。
【００３５】
すなわち、集塵モータ収容部１２１Ｂの上面１２１ｂとモータハウジング１０５の下面１０５ａが互いに対向するよう設定されており、当該２つの対向面が本発明における「第１の対向面」に対応する。また、容器取付部１２１Ａの後面１２１ａとモータハウジング１０５の前面１０５ｂが互いに対向するよう設定されており、当該２つの対向面が本発明における「第３の対向面」に対応する。また、固定筒部１３７Ｂの上面１３７ｂとギアハウジング１０７の前側下面１０７ａが互いに対向するよう設定されており、当該２つの対向面が本発明における「第２の対向面」に対応する。
【００３６】
集塵アタッチメント１２０の集塵モータ収容部１２１Ｂの上面１２１ｂと本体部１０３を構成するモータハウジング１０５の下面１０５ａとの間には、集塵アタッチメント１２０をハンマドリル１０１の本体部１０３に取付けるための係合機構部１５１が設定されている。係合機構部１５１は、図４〜図７に示すように、互いに嵌め合い可能な凹状部としての左右一対のガイド溝１５３と、突状部としての左右一対のガイドレール１５５とを主体として構成されている。係合機構部１５１は、本発明における「機械式係合部」に対応する。
【００３７】
モータハウジング１０５側に、ハンマビット１１９の長軸方向と並行して所定長さで延在する左右一対のガイド溝１５３が形成されている。左右のガイド溝１５３は、モータハウジング１０５のうち左右の側部下方領域に、側方が開放された断面略Ｕ形溝として形成され、少なくとも延在方向前端が開放されている。集塵モータ収容部１２１Ｂ側に左右一対のガイドレール１５５が形成されている。左右のガイドレール１５５は、集塵モータ収容部１２１Ｂの左右の側壁部上端を略９０度折り曲げて互いに対向する内向きのフランジ状部材として形成されている。従って、ガイドレール１５５の後端とガイド溝１５３の前端との位置を合わせた状態で、集塵アタッチメント１２０を、ハンマドリル１０１の本体部１０３の前方から後方に向けてハンマビット１１９の長軸方向に水平状に相対移動させることによって、ガイドレール１５５をガイド溝１５３に嵌め込むことができる。これにより集塵アタッチメント１２０が本体部１０３側に吊下げ状に支持される。
【００３８】
一方、固定筒部１３７Ｂの上面１３７ｂ側には、図３に示すように、係合機構部１５１のガイドレール１５５がガイド溝１５３に嵌め込まれた状態において、ギアハウジング１０７の前側下面１０７ａに押圧されることで当該本体部１０３と集塵アタッチメント１２０とが離れないように圧迫する（ガイドレール１５５とガイド溝１５３との間の上下方向の隙間を埋める）楔状部材１５７が取付けられている。楔状部材１５７は、本発明における「スペーサ部材」に対応する。
【００３９】
固定筒部１３７Ｂの上面１３７ｂ側には、楔状部材１５７を収容するための後側に開口が形成された略矩形の収容ボックス１５９が当該固定筒部１３７Ｂに一体に形成されている。収容ボックス１５９内に収容された楔状部材１５７は、ハンマビット１１９の長軸方向に摺動自在であり、付勢部材としての圧縮コイルバネ１６１によってハンマビット１１９の長軸方向後方へと付勢されるとともに、後端部が収容ボックス１５９の開口から後方に突出されている。そして、当該突出端部上面には先端側に向かって下方に傾斜する傾斜面１５７ａが形成されている。すなわち、楔状部材１５７は、バネ付勢方向においてギアハウジング１０７の前側下面１０７ａと対向する傾斜状の対向面を有する。なお、集塵アタッチメント１２０が本体部１０３から取り外された状態では、楔状部材１５７は、先端側（後端側）の下面に形成された突部１５７ｂが固定筒部１３７Ｂに設けられたストッパ１６３に当接することで最大突出位置に規制される。
【００４０】
ガイドレール１５５をガイド溝１５３に嵌め込むように集塵アタッチメント１２０を本体部１０３の後方へと水平状に相対移動させたとき、楔状部材１５７は、その先端の傾斜面１５７ａがギアハウジング１０７の前側下面１０７ａのうちの傾斜外面部１０７ｂに弾発状に押付けられ、当該本体部１０３と集塵アタッチメント１２０とを弾発状に支持する。これにより、ガイドレール１５５とガイド溝１５３との間の上下方向に隙間が存在しても、当該隙間は、楔状部材１５７が固定筒部１３７Ｂの上面１３７ｂとギアハウジング１０７の前側下面１０７ａとの間に弾発状に介在されることで埋められ、これにより係合機構部１５１のガタツキが止められる。すなわち、係合機構部１５１を支点とする上下方向の相対移動（相対回動）が抑えられる。
【００４１】
また、アタッチメント本体１２１と本体部１０３との間には、本体部１０３側の電気配線と集塵アタッチメント側の電気配線とを接続するコネクタ１４１が設けられる。本実施の形態では、集塵アタッチメント側のコネクタ１４１Ｂは、アタッチメント本体１２１の容器取付部１２１Ａの後端面から後方に向かって水平に突出する突状部材により形成された雄型コネクタとされ、本体部側のコネクタ１４１Ａは、本体部１０３（モータハウジング１０５）の前面部において後方に水平状に凹む凹状部材により形成された雌型コネクタとされている。そして、集塵アタッチメント１２０を前方から後方へと水平状に移動させて本体部１０３に取付けたときに、同時に雄型コネクタ１４１Ｂが雌型コネクタ１４１Ａに差し込まれ、集塵アタッチメント側の電気配線の端子が本体部側の電気配線端子に接続されるように構成されている。すなわち、集塵アタッチメント１２０が本体部１０３に取付けられると、集塵アタッチメント１２０側と本体部１０３側が電気的に接続され、トリガ１０９ａを引き操作して駆動モータ１１１を通電駆動したとき、集塵モータ１２３も同時に通電駆動される構成とされる。
【００４２】
また、アタッチメント本体１２１の集塵モータ収容部１２１Ｂには、図４〜図７に示すように、集塵アタッチメント１２０を本体部１０３に取付けた際に、当該集塵アタッチメント１２０の取付状態を固定（ロック）するロック機構１６５が設けられている。ロック機構１６５は、本発明における「ロック部」に対応する。ロック機構１６５は、ロック爪１６７とロック解除部材１７５とを主体として構成されている。ロック爪１６７は、集塵モータ収容部１２１Ｂの上側内部において、ガイド部材１６９を介して集塵アタッチメント１２０の本体部１０３に対する取付け方向（ガイドレール１５５のガイド溝１５３に対する嵌め込み方向）と交差する上下方向に移動自在に取付けられ、常時には圧縮コイルバネ１７１によって集塵モータ収容部１２１Ｂの上壁に形成された開口を通して上方に突出するよう付勢されている。モータハウジング１０５の下面側には、ロック爪１６７が係合可能な下方が開放されたロック孔１７３が形成されている。
【００４３】
ロック爪１６７は、取付け方向の先端部（後端部）に傾斜面１６７ａ（図３参照）が形成されており、集塵アタッチメント１２０を本体部１０３に取付けるべく相対移動させたとき、相対移動の初期段階でモータハウジング１０５の下面１０５ａにより傾斜面１６７ａを押圧されて圧縮コイルバネ１７１の付勢力に抗して下方へと移動される。そして、集塵アタッチメント１２０が所定位置へと移動され、本体部１０３に対する相対移動が終了すると、ロック爪１６７は、その上部がモータハウジング１０５のロック孔１７３と対向し、圧縮コイルバネ１７１の付勢力で上方へと移動され、当該ロック孔１７３に係合する構成とされる。これにより、集塵アタッチメント１２０を本体部１０３に固定（ロック）し、当該集塵アタッチメント１２０の取外し方向への移動を規制する。この状態が図４に示される。
【００４４】
ロック解除部材１７５は、図６及び図７に示すように、集塵モータ収容部１２１Ｂの側壁部に外部から水平状に押し込み操作可能に設けられた押しボタンによって構成されている。ロック解除部材１７５は、ロック爪１６７の側面に向かって押し込み方向に水平状に延在するアーム部１７７を有し、当該アーム部１７７の延在端部に傾斜面１７７ａが形成されている。これに対応してロック爪１６７の側部には、アーム部１７７の傾斜面１７７ａと対向する傾斜面１６７ｂが形成されている。従って、図７に示すように、ロック解除部材１７５が水平状に押し込み操作されると、アーム部１７７の先端の傾斜面１７７ａがロック爪１６７の側部傾斜面１６７ｂを押圧し、当該ロック爪１６７を下方へと移動させる。これにより、ロック爪１６７の上部がロック孔１７３から抜け出し、本体部１０３に対する集塵アタッチメント１２０のロックを解除する。この状態が図５に示される。なお、ロック解除部材１７５は、圧縮コイルバネ１７９によってロック爪１６７から離間する方向へと付勢され、常時には初期位置に保持される。初期位置に置かれたロック解除部材１７５は、手指で押される押圧面が集塵モータ収容部１２１Ｂの側面に対して概ね面一となるように設定されている。
【００４５】
本実施の形態は、上記のように構成されている。ハンマドリル１０１に集塵アタッチメント１２０を取付ける場合には、本体部１０３（モータハウジング１０５）の左右のガイド溝１５３の端部（前端）に、集塵モータ収容部１２１Ｂの左右のガイドレール１５５の後端の位置を合わせる。その状態で、当該集塵アタッチメント１２０を本体部１０３に対して接近する方向（後方）へと水平状に相対移動（図示右側へ移動）させると、ガイドレール１５５がガイド溝１５３内に嵌め込まれるが、当該相対移動途中において、楔状部材１５７の移動方向先端の傾斜面１５７ａが本体部１０３（ギアハウジング１０７の前側下面１０７ａの傾斜外面部１０７ｂに当接する。この状態で集塵アタッチメント１５０を所定の取付け位置まで更に相対移動させると、楔状部材１５７が圧縮コイルバネ１６１の付勢力に抗してアタッチメント本体１２１に対して前方（図示左側）へと相対移動し、本体部１０３に対して所定の押圧力で押付けられる。
【００４６】
従って、ガイドレール１５５とガイド溝１５３との間の上下方向に隙間が、楔状部材１５７が固定筒部１３７Ｂの上面１３７ｂとギアハウジング１０７の前側下面１０７ａとの間に弾発状に介在されることで埋められ、これにより係合機構部１５１のガタツキが止められる。すなわち、集塵アタッチメント１２０の係合機構部１５１を支点とする上下方向の相対移動（回動）が抑えられ、本体部１０３に対する集塵アタッチメント１２０の取付け状態が安定化される。
【００４７】
また、アタッチメント本体１２１に設けた楔状部材１５７を、本体部１０３に弾発状に押付けることによって集塵アタッチメント１２０と本体部１０３とを弾性支持する構成のため、本体部１０３に対して集塵アタッチメント１２０を取付けるために特別の加工を施す必要がなくなる。このことから、係合機構部１５１を複数個所に設定する従来の構成に比べ、構造的に簡素化された取付構造を構築することができる。
【００４８】
また、本実施の形態においては、ガイドレール１５５のガイド溝１５３に対する嵌め込み方向と、楔状部材１５７の圧縮コイルバネ１６１による付勢方向が一致する構成としている。このため、本体部１０３に対する集塵アタッチメント１２０の取付け操作を、水平方向（ハンマビット１１９の長軸方向）の相対移動によるワンタッチ操作で簡単に行うことができ、取付け操作性を向上できる。
【００４９】
一方、上記の集塵アタッチメント１２０の取付け時において、集塵アタッチメント１２０側の雄型コネクタ１４１Ｂが本体部１０３側の雌型コネクタ１４１Ａに差し込まれ、集塵アタッチメント側の電気配線の端子が本体部側の電気配線端子に接続されるように構成されている。すなわち、本実施の形態によれば、集塵アタッチメント１２０の本体部１０３に対する取付け方向とコネクタ１４１の接続方向が一致するよう設定されている。このため、集塵アタッチメント１２０の本体部１０３に対する取付け動作に基づき、コネクタ１４１の接続動作が自動的に遂行される。
【００５０】
また、上記の集塵アタッチメント１２０の取付け時において、前述したように、取付け初期においてロック爪１６７がモータハウジング１０５の下面によって傾斜面１６７ａを押圧されて圧縮コイルバネ１７１の付勢力に抗して下方へ移動される。そして集塵アタッチメント１５０が所定の取付け位置まで相対移動されたとき、すなわち最終取付け位置に置かれたときに、ロック爪１６７がモータハウジング１０５の下面を通過してモータハウジング１０５のロック孔１７３と対向する。このため、ロック爪１６７は、圧縮コイルバネ１７１の付勢力で上方へと移動され、当該ロック孔１７３に係合する。これにより、集塵アタッチメント１２０が本体部１０３に固定（ロック）され、取外し方向への移動が規制される。すなわち、集塵アタッチメント１２０の本体部１０３に対する取付け動作が終了すると同時に、ロック機構１６５による自動ロックが遂行される。
【００５１】
以上のように、本実施形態によれば、集塵アタッチメント１２０につき、ハンマドリル１０１の本体部１０３の前方において、ガイドレール１５５とガイド溝１５３との位置を合わせてから本体部１０３に接近する後方へと水平状に相対移動させることにより、ハンマドリル１０１の本体部１０３の前側下部領域に重なるように取付けることができる。
【００５２】
なお、集塵アタッチメント１２０を本体部１０３から取り外す場合は、ロック解除部材１７５を押し込み操作すれば、当該ロック解除部材１７５のアーム部１７７によってロック爪１６７が圧縮コイルバネ１７１に抗して下方へと押圧移動され、ロック孔１７３から抜け出る。これによりロックが解除されるため、この状態で集塵アタッチメント１２０を本体部１０３から離間する前方へと相対移動させることにより、本体部１０３から取り外すことができる。
【００５３】
また、本実施の形態によれば、互いに対向するモータ収容部１２１Ｂの上面１２１ｂと本体部１０３のモータハウジング１０５の下面１０５ａとの間（第１の対向面間）に、ガイドレール１５５とガイド溝１５３とからなる係合機構部１５１を設定し、互いに対向するアタッチメント本体１２１の一部を兼ねる固定筒部１３７Ｂの上面１３７ｂと本体部１０３のギアハウジング１０７の前側下面１０７ａとの間（第２の対向面間）に楔状部材１５７を設定している。これにより、本体部１０３に対する集塵アタッチメント１２０の係合機構部１５１を支点とする上下方向の相対回動を、当該係合機構部１５１から離れた位置で楔状部材１５７によって弾性支持することができる。この場合、第１の対向面と第２の対向面間に、互いに対向する容器取付部１２１Ａの後面１２１ａとモータハウジング１０５の前面１０５ｂ（第３の対向面）が介在するので、第１の対向面と第２の対向面を離間した位置関係に設定する上で有効となる。
【００５４】
なお、本実施の形態は、適宜変更が可能である。例えば、ガイドレール１５５を本体部１０３（モータハウジング１０５）に設け、ガイド溝１５３を集塵モータ収容部１２１Ｂに設けてもよい。また、係合機構部１５１と楔状部材１５７の位置を転換する（入れ替える）ことが可能である。また、楔状部材１５７を、容器取付部１２１Ａの後面１２１ａとモータハウジング１０５の前面１０５ｂとの間に配置することが可能である。その場合、圧縮コイルバネ１６１による楔状部材１５７の付勢方向を上下方向（垂直方向）に設定し、楔状部材１５７の傾斜面１５７ａがモータハウジング１０５の前面（傾斜面）１０５ｂに当接するように構成することが好ましい。また、配置スペースを確保することが可能であれば、楔状部材１５７を、モータ収容部１２１Ｂの上面１２１ｂと本体部１０３のモータハウジング１０５の下面１０５ａとの間に配置しても構わない。
【００５５】
また、本実施の形態は、集塵アタッチメント１２０をハンマドリル１０１に取付ける場合で説明したが、先端工具による加工作業によって粉塵が生ずる作業工具であれば、ハンマドリル以外の作業工具であっても適用可能である。
【００５６】
なお、本発明の趣旨に鑑み、下記の如く構成することが可能である。
（態様１）
「作業工具本体と、
前記作業工具本体に取外し自在に取付けられる集塵装置と、
前記作業工具本体と前記集塵装置とを手動解除自在に係合させる機械式係合部と、
前記機械式係合部による前記作業工具本体と前記集塵装置との係合状態において、前記作業工具本体と前記集塵装置との間で当該作業工具本体と当該集塵装置とを弾性支持するスペーサ部材とを有し、
前記集塵装置の前記機械式係合部を支点とする前記作業工具本体に対する相対回動を前記スペーサ部材によって抑えるようにしたことを特徴とする作業工具。
【００５７】
（態様２）
「請求項１又は態様１に記載の作業工具であって、
前記機械式係合部は、前記先端工具の長軸方向に延在する凹状部と突状部とを有し、当該凹状部と突状部とは、延在方向への相対移動により互いに嵌め込まれあるいは離脱される構成としたことを特徴とする作業工具。」
【００５８】
（態様２）
「請求項６に記載の作業工具であって、
前記ガイド溝は、前記作業工具本体の左右の側壁外面に形成された左右一対の溝として備えられ、前記ガイドレールは、前記左右一対の溝に対応して前記集塵装置に形成された左右一対のレールとして備えられていることを特徴とする作業工具。」
【００５９】
（態様３）
「請求項４に記載の作業工具であって、
前記集塵装置は、前記楔状部材を収容する収容ボックスを有し、前記収容ボックスには前記楔状部材がその一部を当該収容ボックスから突出した状態で収容されており、当該突出された端部に前記作業工具本体の外面を押圧する傾斜面が形成されていることを特徴とする作業工具。」
【符号の説明】
【００６０】
１０１  ハンマドリル（作業工具）
１０３  本体部（作業工具本体）
１０５  モータハウジング
１０５ａ  下面
１０５ｂ  前面
１０７  ギアハウジング
１０７ａ  前側下面
１０７ｂ  傾斜外面部
１０９  ハンドグリップ
１０９Ａ  バッテリ装着部
１０９ａ  トリガ
１１０  バッテリパック
１１１  駆動モータ
１１３  運動変換機構
１１５  打撃要素
１１７  動力伝達機構
１１８  ツールホルダ
１１９  ハンマビット（先端工具）
１１９ａ  ビット先端部分
１２０  集塵アタッチメント（集塵装置）
１２１  アタッチメント本体
１２１Ａ  容器取付部
１２１ａ  後面
１２１ｂ  上面
１２１Ｂ  集塵モータ収容部
１２３  集塵モータ
１２５  吸引ファン
１２６  粉塵吸引用開口
１２７  集塵容器
１２８  空気排出口
１２９  粉塵フィルター
１３１  粉塵吸引部（集塵部）
１３３  吸引筒部
１３３ａ  吸塵口
１３３ｂ  後側壁部
１３５  吸引本体部
１３７  粉塵移送部
１３７Ａ  可動筒部
１３７Ｂ  固定筒部
１３７ｂ  上面
１３９  ホース
１４１  コネクタ
１４１Ａ  雌型コネクタ
１４１Ｂ  雄型コネクタ
１５１  係合機構部
１５３  ガイド溝
１５５  ガイドレール
１５７  楔状部材
１５７ａ  傾斜面
１５７ｂ  突部
１５９  収容ボックス
１６１  圧縮コイルバネ
１６３  ストッパ
１６５  ロック機構
１６７  ロック爪
１６７ａ  先端側の傾斜面
１６７ｂ  側部の傾斜面
１６９  ガイド部材
１７１  圧縮コイルバネ
１７３  ロック孔
１７５  ロック解除部材
１７７  アーム部
１７７ａ  傾斜面
１７９  圧縮コイルバネ
【図１】
0005657436.tif 000002
【図２】
0005657436.tif 000003
【図３】
0005657436.tif 000004
【図４】
0005657436.tif 000005
【図５】
0005657436.tif 000006
【図６】
0005657436.tif 000007
【図７】
0005657436.tif 000008